(57)【要約】      （修正有）【課題】構造がシンプルで、超音波でホットメルト切断しやすいゴムバンドを提供する。【解決手段】経度方向のゴム糸及び緯度方向の綿糸によって織り成され、切り代領域１１と、第１の薄部１２と、縁部領域１３と、第２の薄部１４と、折り返し領域１５とを含む。第１の薄部１２は、比較的薄いため、超音波により切断しやすく、超音波切断の作業効率を高め、超音波のエネルギー消費を低減できる。第２の薄部１４も比較的薄いため、縁部領域１３に対する折り返し領域１５の折り返しを容易にし、且つ折り返した後、堅牢に貼り合わせる。【選択図】図１
0003219212.tif 000002
【実用新案登録請求の範囲】
【請求項１】
経度方向のゴム糸及び緯度方向の綿糸によって織り成されるゴムバンドにおいて、緯度方向に左側から右側へ切り代領域（１１）と、縁部領域（１３）と、折り返し領域（１５）とが順番に設けられ、前記切り代領域（１１）と前記縁部領域（１３）との間に、超音波でホットメルト切断するための第１の薄部（１２）が設けられ、前記縁部領域（１３）と前記切り代領域（１５）との間に、前記折り返し領域（１５）を前記縁部領域（１３）に対して折り返すための第２の薄部（１４）が設けられ、前記第１の薄部（１２）及び前記第２の薄部（１４）は、いずれも前記切り代領域（１１）、前記縁部領域（１３）及び前記折り返し領域（１５）より薄いことを特徴とする超音波でホットメルト切断しやすいゴムバンド。
【請求項２】
前記折り返し領域（１５）の緯度方向の幅は、前記縁部領域（１３）の緯度方向の幅より大きいことを特徴とする請求項１に記載の超音波でホットメルト切断しやすいゴムバンド。
【請求項３】
前記第１の薄部（１２）及び前記第２の薄部（１４）の厚さが同一であることを特徴とする請求項１に記載の超音波でホットメルト切断しやすいゴムバンド。
【請求項４】
前記切り代領域（１１）、前記縁部領域（１３）及び前記折り返し領域（１５）の厚さが同一であることを特徴とする請求項１に記載の超音波でホットメルト切断しやすいゴムバンド。
【考案の詳細な説明】
【技術分野】
【０００１】
本考案は、超音波でホットメルト切断しやすいゴムバンドに関する。
【背景技術】
【０００２】
現在市販される衣服、特に下着類では、えりの縁部、シャツの袖ぐりの縁部、ブリーフの縁部で、ゴムバンドを用いて縫合するのが一般的な構造である。そのうち、厚さが同一のゴムバンドを、縫い糸を用いて衣服の縁部の接続領域に縫合し固定させるのが一般的である。このような構造では、ゴムバンドと布地が縫い糸によって固定されるため、ゴムバンドと布地が密着せず、縫い糸が露出し、整然としていないという問題点があった。したがって、新規な衣服の縁部の折り返し構造及びその加工プロセス、すなわち超音波を利用してゴムバンドの経度方向から切り代を切り落として折り返すという技術を開発する必要がある。既存のゴムバンドでは、その厚さが同一であるため、超音波で切断する際に効率が低く、折り返しにくい。
【０００３】
本考案は、上述した実情に鑑みてなされるものである。
【考案の概要】
【考案が解決しようとする課題】
【０００４】
本考案は、構造がシンプルで、超音波でホットメルト切断しやすいゴムバンドを提供することを目的とする。
【課題を解決するための手段】
【０００５】
本考案に係るゴムバンドは、切り代領域と、第１の薄部と、縁部領域と、第２の薄部と、折り返し領域とを含む。第１の薄部は、比較的薄いため、超音波により切断しやすく、超音波切断の作業効率を高め、超音波のエネルギー消費を低減できる。第２の薄部も比較的薄いため、縁部領域に対する折り返し領域の折り返しを容易にし、且つ折り返した後、堅牢に貼り合わせる。
【考案の効果】
【０００６】
従来技術と比べると、本考案は、さらに以下の利点を有する。
【０００７】
本考案では、折り返し領域が比較的広幅となるため、折り返し領域を縁部領域に対して折り返した後、その一部は、縁部領域の下方に位置し、もう一部は衣服の縁部の接続領域の下方に位置し、布地に接続される。これにより、確実な接続が確保され、且つ円滑につながり整然としており、製品の質が向上する。
【図面の簡単な説明】
【０００８】
以下、図面を参照しながら本考案の具体的な実施形態について詳細に説明する。
【図１】本考案に係るゴムバンドの断面構造の概略図である。
【図２】本考案に係るゴムバンドの展開構造の概略図である
【図３】ゴムバンドを衣服の布地に重ね合わせてその切り代を切り落とすことを示す概略図である。
【図４】切り代を切り落とした後のゴムバンドを衣服の布地に重ね合わせた状態の概略図である。
【図５】切り代を切り落とした後のゴムバンドと衣服の縁部の接続領域を、ホットメルト溶接線を中心に展開した後の構造の概略図である。
【図６】衣服の縁部の折り返し構造の断面構造の概略図である。
【図７】衣服の縁部の折り返し構造を有する衣服の概略構造図である。
【考案を実施するための形態】
【０００９】
以下、図面を参照しながら本考案についてさらに説明する。
【００１０】
図１、図２は、本考案に係る超音波でホットメルト切断しやすいゴムバンドを示している。経度方向のゴム糸及び緯度方向の綿糸によって織り成される。緯度方向に左側から右側へ切り代領域１１と、縁部領域１３と、折り返し領域１５とが順番に設けられ、切り代領域１１と縁部領域１３との間に、超音波でホットメルト切断するための第１の薄部１２が設けられ、縁部領域１３と折り返し領域１５との間に、折り返し領域１５を縁部領域１３に対して折り返すための第２の薄部１４が設けられ、第１の薄部１２及び第２の薄部１４は、いずれも切り代領域１１、縁部領域１３及び折り返し領域１５より薄く、第１の薄部１２を比較的薄くするのは、超音波によるホットメルト切断を容易にするためで、第２の薄部１４を比較的薄くするのは、折り返し領域１５を第２の薄部１４に沿って縁部領域１３に対して折り返すことを容易にするためである。
【００１１】
折り返し領域１５の緯度方向の幅は、縁部領域１３の緯度方向の幅より大きい。
【００１２】
第１の薄部１２及び第２の薄部１４の厚さが同一である。
【００１３】
切り代領域１１、縁部領域１３及び折り返し領域１５の厚さが同一である。
【００１４】
本考案に係るゴムバンドを折り返して衣服の縁部に接続する加工プロセスは、ステップＡ〜Ｇを含む。
【００１５】
ステップＡ：本考案に係るゴムバンドを用意する。
【００１６】
ステップＢ：接着剤をコーティングする。折り返し領域１５の一方の面にホットメルト接着剤３をコーティングする。ここで、一方の面が常温で粘性を有し、他方の面が加熱すると粘性を有するホットメルト接着剤膜を用いてもよい。好ましくは、前記ホットメルト接着剤膜が感圧接着剤層と、ホットメルト接着剤層とを組み合わせて形成される。ホットメルト接着剤膜の粘性を有する面、すなわち感圧接着剤層を折り返し領域１５の一方の面に接着して固定させ、ホットメルト接着剤膜の他方の面、すなわち常温では粘性を有しないホットメルト接着剤層が外側に向けられる。接着剤をコーティングする操作では、溶融状態のホットメルト接着剤を折り返し領域１５の一方の面にコーティングし、冷却硬化させることにより、折り返し領域１５の一方の面に加熱すると粘性を有するホットメルト接着剤３を固定してもよい。
【００１７】
ステップＣ：図３に示すように、ゴムバンドの硬化したホットメルト接着剤３が設けられる面を衣服の布地に重ね合わせ、布地の加工代と切り代領域１１を揃える。
【００１８】
ステップＤ：切り代を切り落とす。図３に示すように、超音波により第１の薄部１２をホットメルト切断して、切り代領域１１及び切り代領域１１に重ね合わせられた布地の加工代を切り落とす。図４に示すように、ホットメルト切断する間に、第１の薄部１２が溶融して布地の切断部の材料に粘着されて、切断部にホットメルト溶接線４を形成する。
【００１９】
ステップＥ：図５に示すように、ゴムバンドの残りの部分と衣服の縁部の接続領域２は、超音波切断部で接着されているため、ホットメルト溶接線４を中心に、切り落とした後のゴムバンドの残りの部分と衣服の縁部の接続領域２を展開し、これにより、ゴムバンドの残りの部分１０及び衣服の縁部の接続領域２の位置を再度確定する必要がない。
【００２０】
ステップＦ：折り返し領域１５を第２の薄部１４に沿って縁部領域１３及び衣服の縁部の接続領域２の下方へ折り返し、折り返し領域１５が比較的広幅となるため、折り返し領域１５の一部は、縁部領域１３の下方に位置し、もう一部は衣服の縁部の接続領域２の下方に位置する（図６、図７を参照する）。
【００２１】
ステップＧ：ホットプレスを行ってホットメルト接着剤３を溶融させ、折り返し領域１５を縁部領域１３及び衣服の縁部の接続領域２にそれぞれ接着して固定させる。
【００２２】
図１に示すように、前記ゴムバンドは、切り代領域１１と、第１の薄部１２と、縁部領域１３と、第２の薄部１４と、折り返し領域１５とを含み、第１の薄部１２及び第２の薄部１４は比較的薄い。第１の薄部１２は、超音波で切断しやすく、超音波切断の作業効率を高めることができ、第２の薄部１４は、縁部領域１３に対する折り返し領域１５の折り返しを容易にし、且つ縁部領域１３と折り返し領域１５を堅牢に貼り合わせることができる。
【００２３】
当該衣服の縁部の折り返し構造の加工プロセスは、実行しやすく、作業効率が高い。
【００２４】
当該加工プロセスにより加工される衣服の縁部の折り返し構造は、縫い糸で縫合して固定する必要がない。ゴムバンドの縁部領域１３及び衣服の縁部の接続領域２は同一の平面にあり、折り返し領域１５は衣服の縁部の接続領域２に緊密に貼着され、堅牢に貼合でき、且つ折り返した後、折り返し領域１５と縁部領域１３は、第２の薄部１４によってつながることで折り曲げ部の反り上げが回避され、両者が一体的に密着される。当該衣服の縁部の折り返し構造では、ゴムバンドが布地に円滑につながり、全体的にまとまった構造を形成できるため、衣服の一体性を向上させ、美しくできる。
【図１】
0003219212.tif 000003
【図２】
0003219212.tif 000004
【図３】
0003219212.tif 000005
【図４】
0003219212.tif 000006
【図５】
0003219212.tif 000007
【図６】
0003219212.tif 000008
【図７】
0003219212.tif 000009